(57)【要約】【課題】ポンプ等の加圧手段を用いることなく、水道水の水圧で水道水を濾過することができるとともに騒音及び消費電力を低減可能な透析用水製造装置を提供する。【解決手段】０．１ＭＰａ以上０．５ＭＰａ以下の水道水が供給される逆浸透膜ユニット２０と、逆浸透膜ユニット２０の透過水排出口２０ｂの下流側に接続されたＴＯＣ除去部４０と、ＴＯＣ除去部４０の下流側に設置された純水取出口４５と、逆浸透膜ユニット２０と純水取出口４５との間にて分岐されて接続されたＴＯＣ計５０と、を具備してなることを特徴とする。【選択図】図１
2013252505.tif 000002
【特許請求の範囲】
【請求項１】
０．１ＭＰａ以上０．５ＭＰａ以下の水道水が供給される逆浸透膜ユニットと、
前記逆浸透膜ユニットの透過水排出口の下流側に接続されたＴＯＣ除去部と、
前記ＴＯＣ除去部の下流側に設置された純水取出口と、
を具備してなることを特徴とする透析用水製造装置。
【発明の詳細な説明】
【技術分野】
【０００１】
本発明は、透析用水製造装置に関する。
【背景技術】
【０００２】
半導体分野や医薬品分野等においては、近年の技術革新、技術の高度化に伴い、イオン等の溶存物質や懸濁粒状物に加えて、有機物、バクテリア、細菌等のＴＯＣ成分を極力除去した超純水が求められている。このような超純水は、逆浸透膜装置、イオン交換装置等の純水製造装置によって製造されている。
【０００３】
逆浸透膜を用いた純水製造装置によれば、この逆浸透膜を挟んで、供給された水の水分子だけが選択的に透過された透過水と水分子以外の不純物が濃縮された濃縮水とが得られる。この透過水から細菌等のＴＯＣ成分を除去することにより超純水が製造される。このようにして製造された超純水は、高い不純物除去率が要求される透析用水として使用される。
【０００４】
例えば特許文献１には、供給水を濾過して純水と濃縮水とを得るための逆浸透膜と、この逆浸透膜からの純水の供給を受ける純水手段と、逆浸透膜からの濃縮水の供給を受け陰極及び陽極を備えて濃縮水を電解して水質改善するとともに水質改善された濃縮水を再び逆浸透膜に供給する水質改善手段とを備えた純水製造装置が開示されている。
【先行技術文献】
【特許文献】
【０００５】
【特許文献１】特開２０１１−２４５３７１号公報
【発明の概要】
【発明が解決しようとする課題】
【０００６】
しかしながら、逆浸透膜を用いる従来の純水製造装置においては、逆浸透膜の上流側に例えばポンプ等の加圧手段を設置する必要があった。また、加圧手段の設置により、騒音及び消費電力が増大する問題があった。加圧手段は電力を必要とするので、停電等の非常時には純水製造装置を使用することができなくなるおそれがあった。
【０００７】
本発明は、上記事情に鑑みてなされたものであり、ポンプ等の加圧手段を用いることなく、騒音及び消費電力を低減可能な透析用水製造装置を提供することを目的とする。
【課題を解決するための手段】
【０００８】
本発明は、０．１ＭＰａ以上０．５ＭＰａ以下の水道水が供給される逆浸透膜ユニットと、前記逆浸透膜ユニットの透過水排出口の下流側に接続されたＴＯＣ除去部と、前記ＴＯＣ除去部の下流側に設置された純水取出口と、を具備してなることを特徴とする。
【発明の効果】
【０００９】
本発明によれば、加圧手段を用いることなく、０．１ＭＰａ以上０．５ＭＰａ以下の水道水の水圧で水道水を濾過し、騒音及び消費電力を低減可能な透析用水製造装置を提供することができる。
【図面の簡単な説明】
【００１０】
【図１】本発明の第１実施形態に係る透析用水製造装置の構成図である。
【図２】本発明の第２実施形態に係る透析用水製造装置の構成図である。
【発明を実施するための形態】
【００１１】
以下、本発明の実施形態である透析用水製造装置について、図１及び図２を参照して説明する。
【００１２】
（第１実施形態）
図１に示す本実施形態の透析用水製造装置１００は、逆浸透膜ユニット２０と、ＴＯＣ除去部４０と、純水取出口４５と、ＴＯＣ計５０と、洗浄用排水路５４と、逆洗部６０と、を具備している。
【００１３】
逆浸透膜ユニット２０には、配管１を介して水道蛇口（図示略）に接続される給水口２０ａが設けられている。水道蛇口と給水口２０ａとの間の配管１には、上流側から順次、手動弁１１と、止水電磁弁１２と、濾過フィルター１４と、活性炭フィルター１６と、低圧スイッチ１８と、圧力計１９とが設けられている。
【００１４】
手動弁１１と止水電磁弁１２は、配管１において並列に配置されている。手動弁１１は通常閉じられているが、停電等のように透析用水製造装置１００に通電されない非常時には、使用者により手動で開かれる。これにより、電源がなくても水道蛇口からの水道水を透析用水製造装置１００に供給することができる。止水電磁弁１２は、透析用水製造装置１００で水漏れが発生した場合に作動し、透析用水製造装置１００への水道水の供給を中止する。
【００１５】
濾過フィルター１４は、水道水に含まれる物理的な不純物（例えば錆）を除去するために配置されている。活性炭フィルター１６は、濾過フィルター１４から排出された水道水に含まれる塩素を除去するために配置されている。低圧スイッチ１８は、活性炭フィルター１６で塩素除去された水道水の圧力が所定の圧力より低下した際に透析用水製造装置１００への水道水の供給を中止するために配置されている。また、圧力計１９は、逆浸透膜ユニット２０に供給される水道水の圧力を測定するために配置されている。
【００１６】
上記説明した手動弁１１、止水電磁弁１２、濾過フィルター１４、活性炭フィルター１６、低圧スイッチ１８、圧力計１９によって水道蛇口からの水道水は供給または供給停止され、また、不純物が除去されるとともに圧力計測がされるが、この構成及び配置に限定されない。これらの構成及びその配置は、逆浸透膜ユニット２０に供給する水道水に必要な前処理に応じて適宜選択、変更できる。
【００１７】
逆浸透膜ユニット２０は、給水口２０ａを介して供給された水道水を逆浸透膜により透過水と濃縮水に分離する。この逆浸透膜は、いわゆる低圧用逆浸透膜であり、ポンプ等の加圧手段で加圧した水道水を導入する必要がなく、加圧せずに導入された０．１ＭＰａ以上０．５ＭＰａ以下の水道水の水圧（以下、単に水道圧と記載する）のみで前述の分離を行うことができるものである。このような低圧用逆浸透膜としては、例えば合成高分子複合膜が挙げられる。
【００１８】
図１では、逆浸透膜ユニット２０内の逆浸透膜の図示を省略するが、逆浸透膜ユニット２０内の逆浸透膜の設置形状は、前述の透過水と濃縮水との分離が可能であれば特に限定されないが、例えば円筒形が挙げられる。具体的には、逆浸透膜ユニット２０の透過水排出口２０ｂに接続された集水管を中心に、複数の上記逆浸透膜が巻かれて構成されている。逆浸透膜と逆浸透膜の間には、水道水が流れる流路を確保するためのスペーサーが挟まれている。また、各逆浸透膜の内側には濾過された透過水が流れる流路を確保するための別のスペーサーが挟まれている。水道水は、逆浸透膜間の流路へ流れ込み、前述のように水道圧により逆浸透膜で濾過される。逆浸透膜は約１〜２ｎｍの孔を多数有する膜であるため、水道水に含まれる水分子を選択的に透過させ、イオンや塩類等の水分子以外の不純物は透過させない。このため、逆浸透膜を透過した透過水は、逆浸透膜の内側へ浸透した後に集水管へ流れ込み、透過水排出口２０ｂ外へ取り出される。逆浸透膜を透過しなかった不純物が濃縮された濃縮水は、そのまま逆浸透膜間の流路を流れて濃縮水排出口２０ｃに集められ、濃縮水排出口２０ｃから逆浸透膜ユニット２０外へ排出される。なお、透過水排出口２０ｂから排出される透過水と濃縮水排出口２０ｃ排出される濃縮水の流量比は１：１〜５になり、透過水の流量が濃縮水の流量より多くなることはない。
【００１９】
逆浸透膜ユニット２０の透過水排出口２０ｂとその下流側に接続されたＴＯＣ除去部４０との間の配管２には、導電率計３２と、出口電磁弁３４と、ヒーター３６と、高圧スイッチ３７が設けられている。
【００２０】
導電率計３２は、逆浸透膜ユニット２０から排出された透過水の導電率を計測するために配置されている。出口電磁弁３４は通常開いており、配管２を流れる透過水を下流側へ輸送するが、透析用水製造装置１００が後述する逆浸透膜洗浄プロセス中、あるいは待機状態や異常発生による停止状態であるときは透過水の輸送を停止するために配置されている。ヒーター３６は、透過水の水温を所定の温度範囲に調整するために配置されている。透過水の温度範囲は例えば１５〜２０℃とすることができる。高圧スイッチ３７は、透過水の流れが止まったときに透析用水製造装置１００を停止させるために配置されている。
【００２１】
上記説明した導電率計３２、出口電磁弁３４、ヒーター３６、高圧スイッチ３７によって逆浸透膜ユニット２０からの透過水は下流側へ輸送または輸送停止され、種々の計測がなされるが、この構成及び配置に限定されない。これらの構成及びその配置は、ＴＯＣ除去部４０に供給する透過水に必要な前処理に応じて適宜選択、変更できる。
【００２２】
ＴＯＣ除去部４０は、透過水に含まれるＴＯＣ成分を除去するために配置されている。具体的には、ＴＯＣ除去部４０に紫外線光源４２とエンドトキシンフィルター４４が設けられている。紫外線光源４２は、例えば筐体内に設置されており、その筐体に供給された透過水に紫外線を照射し、ＴＯＣ成分を除去する。このとき、必要に応じて、透過水にＴＯＣ除去作用を促進する触媒等を供給してもよい。紫外線光源４２としては、例えば波長２２０〜２６０ｎｍの紫外線を発光する光源を用いることができる。また、紫外線光源４２として、ＬＥＤを用いても良い。ＬＥＤを使用することにより、消費電力を低減することができる。さらに、紫外線光源４２に替えて電源等を必要としないＴＯＣ除去手段を用いることが好ましい。
【００２３】
エンドトキシンフィルター４４は、透過水に含まれるエンドトキシンを除去することにより無菌化するために配置されている。そして、エンドトキシンフィルター４４の下流に設置した純水取出口４５から純水を排出させる。このようなエンドトキシンフィルター４４として、例えば疎水性ポリスルフォン膜、疎水性ポリエステルスルフォン膜、ポリエステル・ポリマー・アロイ膜を用いることができる。特に、エンドトキシン吸着作用の強いポリエステル・ポリマー・アロイ膜とその他の膜とを組み合わせたフィルターを用いることが好ましい。
【００２４】
紫外線光源４２とエンドトキシンフィルター４４とを備えたＴＯＣ除去部４０により、ＴＯＣ除去及び無菌化がなされた純水が製造される。なお、ＴＯＣ除去部４０の構成は、紫外線光源４２とエンドトキシンフィルター４４との組み合わせに限定されず、透過水に含まれるＴＯＣ成分及びエンドトキシン等の菌類を除去可能な構成であればよい。
【００２５】
純水取出口４５は、ＴＯＣ除去部４０の下流側に設置されている。純水取出口４５から取り出された純水は、図示しない純水収容器等に収容されてもよく、血液透析用の透析装置等に直接供給されてもよい。
【００２６】
ＴＯＣ計５０は、配管４を介して、逆浸透膜ユニット２０と純水取出口４５との間にて分岐して接続されており、本実施形態ではＴＯＣ除去部４０と純水取出口４５との間の配管２から分岐して接続されている。ＴＯＣ計５０はＴＯＣ除去部４０と純水取出口４５との間の配管２に直列に設置してもよいが、ＴＯＣ計５０に供給される許容水量は一般にＴＯＣ除去部４０の下流側に排出される水量より少ないため、図１に示すように設置することが好ましい。また、ＴＯＣ計５０と後述する三方電磁弁５５に供給される水量の比は、例えばＴＯＣ計５０への水量：三方電磁弁５５への水量で１：５０〜１：７０の範囲が好ましい。
【００２７】
ＴＯＣ計５０はＴＯＣ除去部４０から排出された純水のＴＯＣ濃度を測定する。ＴＯＣ（Ｔｏｔａｌ  Ｏｒｇａｎｉｃ  Ｃａｒｂｏｎ）は、水中の酸化され得るバクテリア、パイロジェン（発熱性物質）、細菌等を含む有機物の総量を炭素の量で示したもので、いわゆる全有機体炭素である。ＴＯＣ計５０には、一般にＴＯＣ測定に用いられている装置を用いることができる。逆浸透膜を用いた従来の純水製造装置では、透過水のＴＯＣ濃度が測定されておらず純水に含まれるＴＯＣが除去されていることを確認できなかったが、本実施形態の透析用水製造装置１００では、ＴＯＣ計５０が設置されていることにより純水取出口４５に排出される前に純水のＴＯＣ濃度を測定し、ＴＯＣが除去されていることを確認できる。このときのＴＯＣ濃度は、例えば５００ｐｐｂ未満であることが好ましい。
【００２８】
洗浄用排水路５４は、配管３を介して、ＴＯＣ除去部４０と純水取出口４５との間に分岐して接続されている。洗浄用排水路５４は、図１に示すように後述する逆洗部６０の下流側の排水路に接続されてもよく、個別の排水路に接続されてもよい。
【００２９】
ＴＯＣ除去部４０と純水取出口４５との間の流路と、洗浄用排水路５４の接続位置には、例えば三方電磁弁５５が設置されている。三方電磁弁５５は、導入された純水を純水取出口４５または洗浄用排水路５４のいずれか一方に切り替えて排出する。後の純水製造方法で説明するように、通常の純水製造時には、ＴＯＣ除去部４０で排出された純水が三方電磁弁５５により純水取出口４５に排出される。純水取出口４５から排出された純水は、不純物やＴＯＣ成分等が極めて高い除去率で除去されており、透析用水として使用できる。
【００３０】
一方、透析用水製造装置１００の水道水、透過水、純水の流路洗浄プロセス中は、ＴＯＣ除去部４０から排出された純水が三方電磁弁５５により洗浄用排水路５４に輸送される。即ち、洗浄用排水路５４の設置及び三方電磁弁５５等による純水の流路切り替えにより、透析用水製造装置１００の流路の洗浄が可能になる。このような流路洗浄は、例えば透析用水製造装置１００の使用時毎に１５分程度で行われることが好ましい。
【００３１】
逆洗部６０は、配管５を介して、逆浸透膜ユニット２０の濃縮水排出口２０ｃの下流側に接続されている。逆洗部６０は、一旦、通常の純水製造時とは逆方向、即ち上流側に水を流し、逆浸透膜ユニット２０の逆浸透膜に蓄積した濁物質等を洗い流す。濁物質を含む水道水は濃縮水排出口２０ｃを介して排出される。濁物質等を洗い流すための水は、逆浸透膜ユニット２０の濃縮水でもよく、透析用水製造装置１００の外部から供給された水道水あるいは工業用水等でもよい。濁物質等を含んだ水は再び逆洗部６０を通り、排水路に排出される。
図１には、フラッシング電磁弁６１と排水調整手動弁６２とが配管５に並列に設置された逆洗部６０を例示している。フラッシング電磁弁６１は、通常の純水製造プロセス中及び透析用水製造装置１００の流路洗浄プロセス中は閉じられている。一方、逆浸透膜ユニット２０の逆浸透膜の洗浄プロセス中は開かれる。排水調整手動弁６２は、濁物質等を含んだ水の排水量を調整する。その結果、透析用の純水の流量が調整される。逆洗部６０の設置により、逆浸透膜ユニット２０の洗浄及び逆浸透膜に蓄積した濁物質等の除去が可能になる。このような逆浸透膜の洗浄は、例えば透析用水製造装置１００の使用時毎に１分程度で行われることが好ましい。
【００３２】
次いで、透析用水製造装置１００を用いた純水製造方法について説明する。
透析用水製造装置１００は通常、純水製造プロセスで稼動するが、使用者が三方電磁弁５５を切り替えることにより流路洗浄プロセスで稼動し、逆洗部６０のフラッシング電磁弁６１を開閉することにより逆浸透膜洗浄プロセスで稼動する。
【００３３】
［純水の製造プロセス］
純水を製造する場合は、水道蛇口から供給された水道水、逆浸透膜ユニット２０からの透過水、ＴＯＣ除去部４０から排出された純水が図１に示す流路Ａのように流れる。なお、図１では、各流路を流れる相対的な水量を矢印の長さで示している。
【００３４】
通常の純水の製造プロセスでは、先ず三方電磁弁５５に導入された純水が純水取出口４５に排出されるように切り替え、逆洗部６０のフラッシング電磁弁６１を閉じておく。
そして、水道蛇口から０．１ＭＰａ以上０．５ＭＰａ以下の水道水を供給する。手動弁１１は通常閉じておき、止水電磁弁１２を介して水道水を下流側へ輸送する。但し、停電等の透析用水製造装置１００に通電されない非常時には、使用者が手動弁１１を手動で開けることにより手動弁１１を介して水道水を下流側へ輸送する。これにより、透析用水製造装置１００に電源がなくても、水道蛇口からの水道水を透析用水製造装置１００に供給し、以下説明するように純水を製造することができる。また、透析用水製造装置１００で水漏れが発生した際には、止水電磁弁１２を作動させて下流側への水道水の輸送を中止する。
【００３５】
次に、濾過フィルター１４と活性炭フィルター１６により水道水に含まれる錆等の不純物と塩素を順次除去する。その下流側において圧力計１９により水道水の圧力を確認し、水道水の圧力が所定の圧力より低下した場合は、低圧スイッチ１８により透析用水製造装置１００の稼動を停止する。
【００３６】
次に、不純物及び塩素が除去された水道水を給水口２０ａから逆浸透膜ユニット２０に供給する。逆浸透膜ユニット２０では、水道圧のみで逆浸透膜から水道水に含まれる水分子を選択的に透過させ、得られた透過水を透過水排出口２０ｂから排出する。同時に、逆浸透膜を透過しなかった不純物が濃縮された濃縮水を濃縮水排出口２０ｃから排出する。
【００３７】
次に、導電率計３２により透過水排出口２０ｂから排出された透過水の導電率を測定する。但し、透析用水製造装置１００が後述する逆浸透膜洗浄プロセス中、あるいは待機状態や異常発生による停止状態であるときは、出口電磁弁３４により透過水の輸送を停止する。その後、透過水の水温が所定の範囲より低ければヒーター３６を稼動させて透過水の水温を高め、透過水の水温が所定の範囲内になるように調整する。何らかの異常発生により透過水の流れが止まった際には、高圧スイッチ３７により透析用水製造装置１００を停止させる。
【００３８】
次に、透過水をＴＯＣ除去部４０に供給する。導入された透過水に紫外線光源４２から紫外線を照射し、透過水に含まれるＴＯＣ成分を除去する。化学反応により透過水に含まれるＴＯＣ成分が除去される場合には、その化学反応を促進する触媒等を透過水に供給してもよい。続いて、ＴＯＣ成分が除去された透過水をエンドトキシンフィルター４４に供給する。エンドトキシンフィルター４４により、透過水に含まれるエンドトキシンを除去する。これにより、透過水からＴＯＣ成分を除去した後に無菌化してなる純水をＴＯＣ除去部４０から排出する。
【００３９】
次に、純水をＴＯＣ計５０と三方電磁弁５５に分けて供給する。ＴＯＣ計５０と三方電磁弁５５に供給する純水の水量比は、例えばＴＯＣ計５０への供給水量：三方電磁弁５５への供給水量において１：６２．５程度とする。例えば、ＴＯＣ計５０と三方電磁弁５５に供給する純水の水量はそれぞれ、８ｍｌ／分と５００ｍｌ／分とする。三方電磁弁５５に供給された純水は、純水取出口４５に輸送する。
【００４０】
次に、ＴＯＣ計５０により純水のＴＯＣ含有量を測定する。これにより、純水のＴＯＣ含有量が所定範囲（例えば、５００ｐｐｂ未満）であることを確認できる。ＴＯＣ計５０でＴＯＣ含有量を測定した後の純水は、排水路に排出し、透析用水製造装置１００外の図示しない排水部等へ輸送する。
【００４１】
純水取出口４５に輸送され、純水取出口４５から取り出した純水は、例えば透析用水製造装置１００外の純水収容器あるいは透析装置に供給する。透析用水製造装置１００で製造した純水は、不純物やＴＯＣ成分等が極めて高い除去率で除去されており、人工透析用機器をはじめとする医療機器における透析用水として使用できる。
【００４２】
逆浸透膜ユニット２０の濃縮水排出口２０ｃから排出された濃縮水は、逆洗部６０を介して排水路に輸送し、透析用水製造装置１００外の図示しない排水部等へ排出する。
【００４３】
［流路洗浄プロセス］
透析用水製造装置１００の水道水、透過水、純水の流路が汚染された場合等に配管１，２等の流路の洗浄を行う。流路の洗浄は、例えば透析用水製造装置１００の使用時毎に１５分程度実施してもよい。また、定期的に実施してもよく、不定期に実施してもよい。
【００４４】
流路洗浄プロセスでは、水道蛇口から供給された水道水、逆浸透膜ユニット２０からの透過水、ＴＯＣ除去部４０から排出された純水が図１に示す流路Ｂのように流れる。先ず、水道蛇口から三方電磁弁５５までの水道水、透過水、純水は、上記通常の純水製造方法と同じ動作で供給及び輸送を行う。また、濃縮水についても上記通常の純水製造方法と同様に処理する。このとき、純水には流路内に付着した汚染物が含まれる。
【００４５】
次に、三方電磁弁５５に輸送された汚染物を含む純水（以降、汚染水と記載する）を全て洗浄用排水路５４に排出するように三方電磁弁５５を切り替える。逆洗部６０のフラッシング電磁弁６１は閉じておく。洗浄用排水路５４に導入された汚染水は、排水路を介して透析用水製造装置１００外の図示しない排水部等へ排出する。このような流路洗浄プロセスでの稼動により、透析用水製造装置１００の流路が洗浄される。
【００４６】
［逆浸透膜洗浄プロセス］
逆浸透膜ユニット２０の逆浸透膜に水道水に含まれる不純物等が濁物質として多量に付着した場合等に逆浸透膜の洗浄を行う。逆浸透膜の洗浄は、例えば透析用水製造装置１００の使用時毎に１分程度等で実施してもよい。また、定期的に実施してもよく、不定期に実施してもよい。
【００４７】
逆浸透膜洗浄プロセスでは、水道蛇口から供給された水道水、逆浸透膜ユニット２０からの濃縮水が図１に示す流路Ｃのように流れる。先ず、逆洗部６０のフラッシング電磁弁６１を開ける。三方電磁弁５５は逆浸透膜洗浄プロセスに切り替える前の状態を保持すればよい。フラッシング電磁弁６１を開けることにより、逆浸透膜の洗浄を行い、逆浸透膜から除去された濁物質を含む汚染水を下流側の排水路に輸送する。また、排水調整手動弁６２を操作することにより、濃縮水排出口２０ｃから排出された汚染水の水量を調整する。このとき、透過水排出口２０ｂから排出される透過水の水量も調整される。なお、前述のように、逆洗部６０を介して別途水道水あるいは工業用水等を上流側に供給するとともに逆洗させて逆浸透膜を洗浄してもよい。
【００４８】
以上説明した本実施形態の透析用水製造装置１００及び純水製造方法によれば、逆浸透膜ユニット２０に水道圧のみで水道水を透過水と濃縮水に分離可能な逆浸透膜を使用することにより、逆浸透膜ユニット２０の上流側にポンプ等の加圧手段を用いることなく、０．１ＭＰａ以上０．５ＭＰａ以下の水道圧で水道水を濾過し、透析用水製造装置１００の騒音及び消費電力を低減できる。
【００４９】
なお、本実施形態の透析用水製造装置１００では、水道圧により水道水を濾過可能な逆浸透膜と、上記説明した配管方法と、電源等を使用しないＴＯＣ除去部４０とを組み合わせてもよい。また、透析用水製造装置１００内での発電（水力発電等）及び蓄電を行うとともに、発電及び蓄電された電力をＴＯＣ除去部４０や他の電源類に供給してもよい。このような透析用水製造装置１００及び純水製造方法によれば、例えば停電のように商用電源が供給されない場合であっても透析用水製造装置１００を稼動させて純水を製造することができる。
【００５０】
また、本実施形態の透析用水製造装置１００及び純水製造方法では、ＴＯＣ除去部４０により逆浸透膜ユニット２０から排出された透過水からＴＯＣを除去するとともに、ＴＯＣ計５０によりＴＯＣ除去部４０から排出された純水のＴＯＣ含有量を測定する。これにより、従来の透析用水製造装置１００では確認されていなかった純水のＴＯＣ含有量を検知し、透析用の純水においてＴＯＣが除去されていることを確認できる。
【００５１】
さらに、透析用水製造装置１００に洗浄用排水路５４及び三方電磁弁５５を設置し、三方電磁弁５５を切り替えることにより、透析用水製造装置１００の水道水、透過水、純水の流路に付着した汚染物を各種水で洗い流し、汚染水を洗浄用排水路５４に排出して流路を洗浄できる。また、逆洗部６０の設置により、逆浸透膜ユニット２０の逆浸透膜に付着した濁物質を洗い流して逆浸透膜を洗浄できる。
【００５２】
（第２実施形態）
続いて、本発明の別の実施形態の透析用水製造装置について説明する。なお、図２に示す本実施形態の透析用水製造装置１１０の構成要素において、図１に示す透析用水製造装置１００の構成要素と同一の構成要素については、同一の符号を付し、その説明を省略する。
【００５３】
透析用水製造装置１１０では、逆浸透膜ユニット２０の透過水排出口２０ｂとＴＯＣ除去部４０との間に、減圧弁３１と導電率計３２と、出口電磁弁３４と、ヒーター３６が設けられている。減圧弁３１は、透過水の水圧が導電率計３２、出口電磁弁３４、ヒーター３６、紫外線光源４２、エンドトキシンフィルター４４、三方電磁弁５５の各耐水圧より高くなる場合に、透過水の水圧を下げる。導電率計３２と、出口電磁弁３４と、ヒーター３６の動作は、第１実施形態の透析用水製造装置１００における導電率計３２と、出口電磁弁３４と、ヒーター３６の動作と同一であるため、説明を省略する。
【００５４】
ＴＯＣ計５０は、逆浸透膜ユニット２０の透過水排出口２０ｂと純水取出口４５の上流側に設けられた減圧弁３１との間にて分岐して接続されている。ＴＯＣ計５０の動作は、第１実施形態の透析用水製造装置１００におけるＴＯＣ計５０の動作と同一であるため、詳しい説明を省略する。ＴＯＣ計５０と減圧弁３１に供給される水量の比は、例えばＴＯＣ計５０への供給水量：減圧弁３１への供給水量において１：５０〜１：７０の範囲が好ましい。例えば、減圧弁３１への供給水量が５００ｍｌ／分である場合は、ＴＯＣ計５０への供給水量を８ｍｌ／分とすることができる。このようにＴＯＣ計５０が配置されることにより、ＴＯＣ計５０への透過水の流路の分岐部分で菌が発生することを防止できる。
【００５５】
透析用水製造装置１１０のＴＯＣ計５０の上流側にはイオン交換樹脂フィルター４８が設けられている。イオン交換樹脂フィルター４８は、導入された透過水に含まれる陽イオン、陰イオンを除去する。このようなイオン交換樹脂フィルター４８としては、超純水用の混合樹脂を用いることができる。
【００５６】
上記説明した減圧弁３１と導電率計３２と、出口電磁弁３４と、ヒーター３６と、イオン交換樹脂フィルター４８と、ＴＯＣ計５０以外の構成要素については、第１実施形態の透析用水製造装置１００における各構成要素の配置及び機能と同一であるため、詳しい説明を省略する。
【００５７】
次いで、透析用水製造装置１１０を用いた純水製造方法について説明する。透析用水製造装置１１０は、第１実施形態の透析用水製造装置１００と同様に、純水の製造プロセス、流路洗浄プロセス、逆浸透膜洗浄プロセスのいずれかのプロセスで稼動可能である。
【００５８】
［純水の製造プロセス］
水道蛇口から０．１ＭＰａ以上０．５ＭＰａ以下の水道水を供給した後、逆浸透膜ユニット２０の透過水排出口２０ｂから透過水を排出するとともに濃縮水排出口２０ｃから濃縮水を排出するまでの工程は、第１実施形態の透析用水製造装置１００における純水の製造プロセスと同様の工程を行う。濃縮水排出口２０ｃから排出された濃縮水は、逆洗部６０を介して排水路に輸送し、透析用水製造装置１１０外の図示しない排水部等へ排出する。
【００５９】
次に、透過水排出口２０ｂから排出された透過水を減圧弁３１とイオン交換樹脂フィルター４８に分けて供給する。減圧弁３１とイオン交換樹脂フィルター４８に供給する純水の水量比は、ＴＯＣ計５０の許容水量を勘案して設定することが好ましく、ＴＯＣ計５０への供給水量：減圧弁３１への供給水量において例えば１：６２．５程度とする。具体的には、減圧弁３１とイオン交換樹脂フィルター４８に供給する純水の水量はそれぞれ、８ｍｌ／分と５００ｍｌ／分とする。
【００６０】
減圧弁３１に導入した透過水の水圧がその下流側に設けられている導電率計３２、出口電磁弁３４、ヒーター３６、紫外線光源４２、エンドトキシンフィルター４４、三方電磁弁５５のそれぞれの耐水圧より高くなった場合は、透過水の水圧を下げる（または透過水の輸送を中止する）。その後、導電率計３２により透過水の導電率を測定する。但し、透析用水製造装置１１０が逆浸透膜洗浄プロセス中、あるいは待機状態や異常発生による停止状態であるときは、出口電磁弁３４により透過水の輸送を停止する。その後、透過水の水温が所定の範囲より低ければヒーター３６を稼動させて透過水の水温を高め、透過水の水温が所定の範囲内になるように調整する。
【００６１】
次に、ヒーター３６により温度調整した透過水をＴＯＣ除去部４０に供給する。ＴＯＣ除去部４０における透過水のＴＯＣ成分除去工程は、第１実施形態の透析用水製造装置１００での純水の製造プロセスにおけるＴＯＣ除去部４０のＴＯＣ成分除去工程と同様であるため、説明を省略する。その後、三方電磁弁５５を介してＴＯＣ除去部４０から排出された全ての純水を純水取出口４５に輸送し、純水取出口４５から取り出す。純水の供給先及び用途は、第１実施形態の透析用水製造装置１００で製造した純水と同様である。
【００６２】
［流路洗浄プロセス］
第１実施形態の透析用水製造装置１００と同様に、透析用水製造装置１１０の水道水、透過水、純水の流路が汚染された際には流路の洗浄を行う。流路の洗浄は定期的に実施してもよく、不定期に実施してもよい。
ＴＯＣ計５０にイオン交換樹脂フィルター４８を介して逆浸透膜ユニット２０の透過水排出口２０ｂと減圧弁３１との間で分岐した透過水を供給すること以外は、第１実施形態の透析用水製造装置１００での流路洗浄プロセスと同様の工程を行う。
【００６３】
［逆浸透膜洗浄プロセス］
透析用水製造装置１１０の逆浸透膜洗浄プロセスの稼動目的、頻度及び工程は、第１実施形態の透析用水製造装置１００での逆浸透膜洗浄プロセスと同様である。
【００６４】
以上説明した本実施形態の透析用水製造装置１１０及び純水製造方法によれば、ＴＯＣ計５０を含む流路の上流側の分岐点を逆浸透膜ユニット２０の透過水排出口２０ｂと減圧弁３１との間に変更し、ＴＯＣ計５０の上流側にイオン交換樹脂フィルター４８を設けることにより、ＴＯＣ計５０に純水ではなく透過水を供給し、ＴＯＣ計５０への透過水の分岐部分で菌が発生することを防止できる。また、透析用水製造装置１００と同様の効果が得られる。
【００６５】
以上、本発明の好ましい実施形態について詳述したが、本発明は係る特定の実施形態に限定されるものではなく、特許請求の範囲内に記載された本発明の要旨の範囲内において、種々の変形・変更が可能である。
【符号の説明】
【００６６】
２０ａ…給水口、２０…逆浸透膜ユニット、２０ｂ…透過水排出口、４０…ＴＯＣ除去部、４５…純水取出口、１００，１１０…透析用水製造装置
【図１】
2013252505.tif 000003
【図２】
2013252505.tif 000004